(57)【要約】【課題】従来のファン装置の防振または制振構造では振動低減効果が十分でなく、情報機器や映像録画再生機器等に搭載されるハードディスクドライブの近年の振動耐性低下により、ハードディスクドライブの性能低下を引き起こし、障害発生の一因になりうるという課題がある。【解決手段】本発明のファン装置は、上記課題を達成する為に、ファンとファンケース間にワイヤを用い、ワイヤを引っ張ることにより、ファンを宙吊りとし、ファンとワイヤの間に制振材もしくは、防振材を挟む構造とすることで、ファンからワイヤに伝達する振動を低減する。【選択図】  図１
2011163297.tif 000002
【特許請求の範囲】
【請求項１】
ファンとファンケースから成るファン装置であって、前記ファンケースは吸込み穴又は吐出し穴を設けたフロントカバーとリアカバーを有し、前記ファンと、前記フロントカバーと、前記リアカバーは各々複数の通し穴を有し、前記ファンの通し穴と前記フロントカバー及びリアカバーの通し穴にワイヤを通して前記ファンを宙吊りとするように構成したことを特徴とするファン装置。
【請求項２】
前記ファンの通し穴に防振又は制振用のワイヤ支持材を取り付けたことを特徴とする請求項１記載のファン装置。
【請求項３】
前記フロントカバー及びリアカバーの通し穴に防振又は制振用のワイヤ支持材を取り付けたことを特徴とする請求項１記載のファン装置。
【請求項４】
前記ワイヤ支持材と前記ワイヤの間に金属円筒を備えたことを特徴とする請求項２又３記載のファン装置。
【発明の詳細な説明】
【技術分野】
【０００１】
本発明は、ファン装置であって、ファン装置外部への振動伝達を抑制し、低振動化を実現可能とする構成に関する。
【背景技術】
【０００２】
従来、この種のファン装置として、弾性材をファンとファンケースの間に配置することにより、ファン装置の低振動化を図る方法が知られている。
【先行技術文献】
【特許文献】
【０００３】
【特許文献１】US 7,251,135 B2
【特許文献２】US 7,436,662 B2
【発明の概要】
【発明が解決しようとする課題】
【０００４】
このような従来のファン装置の防振または制振構造では振動低減効果が十分でなく、情報機器や映像録画再生機器等に搭載されるハードディスクドライブの近年の振動耐性低下により、ハードディスクドライブの性能低下を引き起こし、障害発生の一因になりうるという課題がある。
【課題を解決するための手段】
【０００５】
本発明のファン装置は、上記課題を達成する為に、ファンとファンケース間にワイヤを用い、ワイヤを引っ張ることにより、ファンを宙吊りとし、ファンとワイヤの間に制振材もしくは、防振材を挟む構造とすることで、ファンからワイヤに伝達する振動を低減する。また、宙吊りとすることで、吸込み口と吐出し口にフィンガーガードや整流格子、別途ファンを設けた場合においても、ファン位置のずれを防ぎ、ファン性能の低下を防止する。
【発明の効果】
【０００６】
ファンからファンケースへの振動伝達は、ワイヤにより、振動伝達経路を局所化することが可能となり、ファン及びファンケースにおける防振材及び制振材の最適化が実現出来る。また、ファン位置の固定も容易となる。
【図面の簡単な説明】
【０００７】
【図１】実施例１の正面から見たファン装置を示した概略図
【図２】実施例１の背面から見たファン装置を示した概略図
【図３】正面から見た代表的ファンを示した概略図
【図４】背面から見た代表的ファンを示した概略
【図５】実施例１及び２のワイヤによるファン位置決め手法を示した概略図
【図６】実施例１のワイヤ止め具を示した概略図
【図７】実施例１のファン用ワイヤ支持材を示した概略図
【図８】実施例１のファンケース用ワイヤ支持材を示した概略図
【図９】実施例２のファン用ワイヤ支持材を示した概略図
【図１０】実施例２のファンケース用ワイヤ支持材を示した概略図
【図１１】実施例３のファン装置を示した概略図
【発明を実施するための形態】
【０００８】
以下、図面を用いて本発明の実施例を具体的に説明する。
【実施例１】
【０００９】
図１〜８を用いて実施例１を説明する。本発明のファン装置の正面及び背面を示した概観図を図１及び図２に示す。本発明に用いる代表的なファンの正面及び背面を示した概観図を図３及び図４に示す。ファンを中央に固定する仕組みを図５に示す。ワイヤ止め構造を図６に示す。ファン側のワイヤ支持材形状を図７に示し、カバー側のワイヤ支持材形状を図8に示す。
【００１０】
本発明には、図３〜４のようなファンに取り付け用穴が付いたファンを用いる。図３及び図４に示す代表的な軸流ファン形状の場合のファンケースを図１及び図２に示す。
【００１１】
フロントカバー３及びリアカバー４には、吐出し用の穴を中心に設ける。通常、ファンの性能を低下させない為、吐出し用穴又は吸込み用穴はファン吐出し口又はファン吸込み口よりも直径を大きくする。
また、フロントカバー３及びリアカバー４には、ワイヤ支持材２０の取り付け穴を４隅に開け、フロントカバー３又はリアカバー４とフロント及びリアカバーを除く４面のカバー５、６、７、８を取付ける為のツメを付ける。
【００１２】
トップカバー５及びボトムカバー６には、フロントカバー３及びリアカバー４に付けたツメとかみ合う穴を設ける。左サイドカバー７及び右サイドカバー８にも、フロントカバー３及びリアカバー４に付けたツメとかみ合う穴を設ける。
【００１３】
カバー３、４、５、６、７、８は樹脂材料又は金属材料とする。ツメによるはめ込み方式が不可能な場合には、ネジによる組み上げが可能な形状とする。
【００１４】
ファンのワイヤ支持材取り付け穴２５、２６、２７、２８の中に図７に示すワイヤ支持材を設け、その中にワイヤ１３を通す。ワイヤ支持材の材質は防振材又は制振材とする。ファンワイヤ組み上げ図１及び図２のワイヤ１３のように、ワイヤ１３をファンの４つのワイヤ支持材及びフロント及びリアカバーのワイヤ支持材９、１０、１１、１２、１５、１６、１７、１８に通すことで、１本のワイヤで８点支持が可能となる。組み上げ手順の１例としては、ワイヤ１３をフロント左下ワイヤ支持材１１、ファン左下支持材取り付け穴２７、リア右下ワイヤ支持材１８、リア左上ワイヤ支持材１５、ファン右上支持材２６、フロント右上ワイヤ支持材１０、フロント左上ワイヤ支持材９、ファン左上支持材２５、リア右上ワイヤ支持材１６、リア左下ワイヤ支持材１７、ファン左下支持材２８、フロント右下ワイヤ支持材１２の順に通した後、左サイドカバー７、右サイドカバー８及びトップカバー５、ボトムカバー６を取り付け、最後にワイヤ止め具１４にて、ワイヤ１３を張りながら止めることで、固定することが出来る。
【００１５】
図５はトップカバーを外した状態の図であり、ファンフレーム２の穴位置とフロントカバー３及びリアカバー４の穴位置をずらすことにより、ファンを容易に中央に固定する。
【００１６】
以上のような構成で、ファンフレーム２とワイヤ１３の間のワイヤ支持材を防振材又は制振材とすることで、ファンフレーム２からワイヤ１３に伝わる振動を低減し、ワイヤ１３と接続しているフロントカバー３及びリアカバー４に伝わる振動を低減する。従って、ファン装置外部に伝わる振動を低減出来る。加えて、ワイヤ機構により、ファンをファンケースの吸込み口及び吐出し口用穴の中央に固定することが出来る。また、ワイヤ１３とフロントカバー及びリアカバーの間の支持材を防振材又は制振材とすることで、さらなる振動の低減を図ることが出来る。同時に、ファンを中央に固定することで、吐出し口及び吸込み口とフロント及びリアカバーに設けた吐出し用穴及び吸込み用穴との位置ずれによるファンの性能低下を防止することが可能となる。
【００１７】
防振材及び制振材は、ファンやシャーシ、ハードディスクドライブ等の計測対象に関係する固有振動数を考慮して選択する必要がある。
【実施例２】
【００１８】
図９〜１０を用いて実施例２を説明する。金属円筒を入れたファン側のワイヤ支持材及びカバー側のワイヤ支持材を図９及び図１０に示す。実施例１の各種支持材の内部にも金属円筒２２を取り付けることにより、ワイヤ１３を使用することによって生じる支持力を分散し、制振材もしくは防振材の破壊及び劣化の度合いを低くすることができる。また、フロントカバー３とリアカバー４から金属円筒２４が出る形状とし、金属パイプ内を通るワイヤがフロントカバーとリアカバーの外壁に非接触となり、ワイヤ１３とフロント及びリアカバー間の直接的な振動伝達を防止することが可能となる。
【実施例３】
【００１９】
図１１を用いて実施例３を説明する。図１１は実施例１の図１からトップカバー５及びボトムカバー６を外した形状であり、ファン装置の高さがカバー板厚２枚分低く出来る。
【符号の説明】
【００２０】
１：ファンロータ
２：ファンフレーム
３：フロントカバー
４：リアカバー
５：トップカバー
６：ボトムカバー
７：左サイドカバー
８：右サイドカバー
９：フロント左上ワイヤ支持材
１０：フロント右上ワイヤ支持材
１１：フロント左下ワイヤ支持材
１２：フロント右下ワイヤ支持材
１３：ワイヤ
１４：ワイヤ止め具
１５：リア左上ワイヤ支持材
１６：リア右上ワイヤ支持材
１７：リア左下ワイヤ支持材
１８：リア右下ワイヤ支持材
１９：ファン側ワイヤ支持材Ａ
２０：カバー側ワイヤ支持材Ａ
２１：ファン側ワイヤ支持材Ｂ
２２：ファン側ワイヤ支持金属円筒
２３：カバー側ワイヤ支持材Ｂ
２４：カバー側ワイヤ支持金属円筒
２５：ファン左上ワイヤ支持材取り付け穴
２６：ファン右上ワイヤ支持材取り付け穴
２７：ファン左下ワイヤ支持材取り付け穴
２８：ファン右下ワイヤ支持材取り付け穴
【図１】
2011163297.tif 000003
【図２】
2011163297.tif 000004
【図３】
2011163297.tif 000005
【図４】
2011163297.tif 000006
【図５】
2011163297.tif 000007
【図６】
2011163297.tif 000008
【図７】
2011163297.tif 000009
【図８】
2011163297.tif 000010
【図９】
2011163297.tif 000011
【図１０】
2011163297.tif 000012
【図１１】
2011163297.tif 000013